【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
電子機器本体とリストバンドとの間にそれぞれ充電式バッテリー又は振動発生器とが配置される構造であることを特徴とする腕時計式電子機器。
【請求項２】
前記充電式バッテリーの筐体はヒンジを介し、該電子機器本体に接続されている構造である事を特徴とする請求項１に記載の腕時計式電子機器。
【請求項３】
前記振動発生器の筐体はヒンジを介し、電子機器本体に接続されている構造であることを特徴とする請求項１に記載の腕時計式電子機器。
【請求項４】
前記充電式バッテリーが電子機器本体の一方に配置され、他一方には、振動発生器が配置された構造である事を特徴とする請求項１〜３に記載の腕時計式電子機器。
【請求項５】
充電式バッテリーは、充電する為の充電用ジャックを充電式バッテリーの筐体に取り付けてある事を特徴とする請求項１〜４に記載の腕時計式電子機器。
【請求項６】
前記電子機器本体の表示部に表示されるメッセージ及びアラーム設定時刻に達した時にアラームを作動させる為のアラーム予約設定時刻の入力は、付属の情報端末器で行うものとする事を特徴とする請求項１〜５に記載の腕時計式電子機器。
【請求項７】
前記の情報端末器で入力されたメッセージ及びアラーム予約設定時刻を前記電子機器本体に送信し、その電子機器本体内部のメモリーに保存すると共に、アラーム用タイマーを設定する事を特徴とする請求項１〜６に記載の腕時計式電子機器。
【請求項８】
前記情報端末器から該電子機器本体への送信は通信用ケーブルを接続して行う事を特徴とする請求項１〜７に記載の腕時計式電子機器。
【請求項９】
前記メモリーに保存されたメッセージは、アラーム設定時刻が現時刻に達した時、振動発生器が始動すると同時に、電子機器本体の表示画面にメッセージが表示されることを特徴とする請求項１〜８に記載の腕時計式電子機器。
【請求項１０】
前記情報端末器は、スケジュール、カレンダー、電子手帳の機能を有する事を特徴とした請求項１〜９に記載の腕時計式電子機器。
【請求項１１】
前記情報端末器は、各種辞典の機能を搭載できる事を特徴とした請求項１〜１０に記載の腕時計式電子機器。
【請求項１２】
前記付属の情報端末器は単独でも機能する事を特徴とした請求項１〜１１に記載の腕時計式電子機器。
【請求項１３】
他の携帯端末器であっても、上記請求項６に記載されている機能を有する前記情報端末器と同等の機能を有するものは、前記の情報端末器として使用できる事を特徴とする請求項１〜１２に記載の腕時計式電子機器。
【手続補正２】
【補正対象書類名】明細書
【補正対象項目名】全文
【補正方法】変更
【補正の内容】
【発明の詳細な説明】
【発明の名称】腕時計式電子機器
【技術分野】
【０００１】  本発明は、腕時計式電子機器の構造及び構成に関する。
【背景技術】
【０００２】  従来の腕時計式電子機器のバッテリーは、該電子機器本体内部に収納する構造の物が一般的であり、その結果、振動モーター及びバッテリーの体積分、電子機器本体が大きなものとなり、腕時計式電子機器全体としてバランスを欠いたものになる。【０００３】  従って、上記のような電子機器用である振動モーター及びバッテリーの収納配置はあまり現実的ではない。【０００４】  又、バッテリーに関しては、非充電式バッテリーが一般的で、且つ、該電子機器本体内に収納することを前提としているため、体積の大きくなる様なバッテリー容量の大きいものは搭載しないので、上記の電子機器でアラームが作動すると、バッテリーの電圧降下により時計に誤作動が生じる場合もある。【０００５】  従って、バッテリーの交換回数の頻度も多くなる、という欠点を有している。【０００６】  又、該電子機器の電源としては、比較的大きな電流の安定した供給ができるものが望ましい。又、予約設定時刻に関しては、時刻設定した後、長時間経過した場合に、その設定した時刻の目的を忘れてしまう事もある。
【発明の開示】
【発明が解決しようとする課題】
【０００７】  以上に述べたように、腕時計式電子機器は腕に装着の為、小型化が要求される。結果、それに搭載される振動発生器は、体積の大きさに制限をうけるため、携帯電話のものより小型になり、発生する振動が弱くなる結果となった。又、バッテリーに関しても搭載できるものは小型になるために、十分な電流容量を得ることができない。【０００８】  このようなことから、従来の腕時計式電子機器では十分な振動幅を得るには限界がある。
【発明が解決するための手段】
【０００９】  上記課題を解決するため、本発明は振動発生器を搭載する腕時計式電子機器に対し以下のような手段をとる。
【００１０】  請求項１に記載の発明は、容量の大きい充電式バッテリー、又は、振動発生器を電子機器本体との間に接続部を設けて配設する事により、該電子機器本体の厚さ又は大きさを相当分抑えている事を特徴とする。
【００１１】  請求項２に記載の発明において、充電式バッテリーの筐体の一方片側はヒンジを介し、該電子機器本体に接続されている事。又、他一方側はリストバンドに接続されている構造である事を特徴とするものである。
【００１２】  請求項３に記載の発明において、振動発生器の筐体の一方片側はヒンジを介し、該電子機器本体に接続されている事。又、該筐体の他一方片側はつなぎ（発生する振動の抑制を少なくする為にヒンジを２個設けた接続部。以下つなぎと呼ぶ）を介してリストバンドに接続されている事。又、該リストバンドには電気部品及び配線は施されておらず、自由に取り外し出来るものである事を特徴とするものである。
【００１３】  請求項４に記載の発明は、電源用である充電式バッテリー及びその筐体を該電子機器本体の一片側に、又他一方片側には、振動発生器及びその筐体が配置されている構造である事を特徴とするものである。
【００１４】  請求項５に記載の発明は、充電用ジャックを該バッテリーの筐体部分に取り付ける事により、該電子機器本体の体積を相当分小さく出来るので、該電子機器本体を小型化できる。
【００１５】又、充電用ジャックと充電式バッテリーは同じ筐体内部に配置されているため、その間の電気配線を固定できるので、安定性を増すことが出来る。
【００１６】  請求項６に記載の発明は、電子機器本体の操作部ではメッセージの文字入力できるだけのキースイッチを配置できるスペースを確保することは難しいことから、タイマー時刻の設定等を行う場合に用いる、又、付属の情報端末器においては、タイマー時刻の設定及びメッセージ等の入力を行えるものとする。つまり、該情報端末器は該電子機器本体外に設けた付属のキーボードの役目をするものである。
【００１７】請求項７，８に記載の発明は、前記情報端末器にて入力したアラーム設定時刻及びメッセージのデーター等を該電子機器本体に送信し、該電子機器本体のアラーム用カウントダウンのタイマーを始動させること及びメッセージのデーターをメモリーに入力、保存する事を特徴とするものであり、送信手段として、通信用ケーブルを接続して行うものとする。又は、赤外線等のワイアレスを用いて行っても良い。
【００１８】請求項９に記載の発明は、該電子機器本体において、アラーム予約設定時刻が現時刻に達した時、トリガーパルスを発生させ、そのトリガーパルスにより、振動発生器を駆動させ、同時に、メッセージを該電子機器本体のメモリーから呼び出し、表示画面３に図８（ａ）の現時刻表示が（ｂ）のメッセージに切り替わって表示されるものである。
【００１９】請求項１０に記載の発明において、前記情報端末器は、少なくとも、アラーム予約設定時刻、メッセージの入力、保存及び送信等が出来るものとし、その他に、タイマー、スケジュール、カレンダー、電子手帳の機能を有するものである。又、請求項１１の発明は、前記情報端末器は各種辞典の機能を搭載出来るものである事を特徴とするものであり、請求項１２〜１３の発明は、前記付属の情報端末器単独でもそれぞれ機能する事。又、上記請求項６の機能を有する他の携帯端末機をも、前記情報端末器として使用できるものである事を特徴とするものである。
【発明実施の形態】
【００２０】  以下に本発明の実施の形態の一例を図面に基づいて説明する。
【００２１】  図１〜５は本発明である腕時計式電子機器（付属品を除く）の実施例を示すものである。図１は通信ケーブル用ジャック及び充電用ジャックの取り付け配置を示したもの、図２は表示切替スイッチを取り付けた側を示したものであり、図３〜５は上方、横方向及び腕に装着したと仮定した場合の横方向から該腕時計式電子機器（付属品を除く）１を視た図である。該腕時計式電子機器（付属品を除く）１は主に、液晶表示部３、キースイッチ操作部４及び内装部５からなる電子機器本体２、その電子機器本体２の両端にヒンジ付振動発生器１２の筐体１１及び充電式バッテリー２２を収納している筐体２１を配置しているものである。
【００２２】  図１〜５に示す、ヒンジ付である振動発生器の筐体１１及び充電式バッテリーの筐体２１は、空洞部分を設けそれを介して該電子機器本体２と振動発生器１２間及び電子機器本体２と充電式バッテリー２２間は電気配線される。
【００２３】そして、その振動発生器の筐体１１の一方片側は図１に示すように、つなぎ３１を介してリストバンド４１ａが接続され、又、充電式バッテリーの筐体２１の一方片側は直接リストバンド４１ｂに接続されるというものである。
【００２４】図４，５の内装部５にはクロック発信機、メモリー、時刻やデーターの表示及び演算や入出力を行う電子部品、及びそれら内蔵品を固定するための基盤が含まれる。
【００２５】  以上のように構成された腕時計式電子機器１は図６、７及び９に示すような付属品を有している。図６は充電用アダプター８０であり、随時充電用プラグ８２を介して充電式バッテリー２２を充電出来るものである。該プラグ８２及び充電用ジャック２３の形状は他のものであっても構わない。
【００２６】  図７に示す付属の情報端末器６０はキースイッチ操作部６４にてアラーム設定時刻及びメッセージを入力、保存し又それらの情報を該電子機器本体に送信する。送信手段としては、図９に示す通信用ケーブル５０を使用する。又は、赤外線等のワイアレスの手段で行っても良い。その場合、電子機器本体２側のデーター通信用ケーブル接続ジャック６及び情報端末器６０側のデーター通信用ジャック６６の代わりに通信用受信部及び送信部を設ける又は併設すれば良い。
【００２７】情報端末器６０の入力時にその時刻予約時間及びメッセージ等の確認をする場合は、情報端末器の画面表示部６１に表示される画面を、スクロールスイッチ６２，６３を用い、スクロールして行う。上方にスクロールする場合はスクロールスイッチ６２、下方にスクロールする場合はスクロールスイッチ６３を用いる。又、機能スイッチは６７〜７２とし、各種機能の選択スイッチであり、そのスイッチ数は限定しているものではない。
【００２８】  入力したアラーム設定時刻及び又はメッセージを情報端末器６０のキースイッチ操作部６４にて電子機器本体２に送信する。送信用スイッチとして、機能スイッチ６７〜７２の内の１個を送信用としても構わない。該電子機器本体２で受信したアラーム予約設定時刻の信号により、アラーム用カウントダウンのタイマーをスタートさせる。
【００２９】  又、メッセージのデーターは該電子機器本体２のメモリーに入力、保存される。設定したアラーム予約時刻が現在時刻に達した時、振動発生器１２が始動すると共に、メッセージのデーターは呼び出され、図８（ａ）の現時刻表示が（ｂ）のメッセージに切り替わって表示される。その後のメッセージ表示及び確認は表示切替スイッチ１５を用いる。
【００３０】  又、該電子機器本体のメモリーに入力されたメッセージ及びアラーム設定時刻の情報は、該電子機器本体側で確認できるものである。該情報端末器６０を接続しないでアラーム予約設定時刻を入力する場合は、該電子機器本体２のキースイッチ操作部４を用いて行う。メッセージの入力は該キースイッチ操作部４では入力できない。
【００３１】  図３は、２個の偏重心の分銅１３ａ、１３ｂを取り付けた振動発生器１２を該電子機器本体２の一方片側に取り付けたものである。
【００３２】  又、その２個の分銅１３ａ、１３ｂは、お互いに略１８０度の角度を持たせた略対称点に取り付けているが、振動モーターのシャフトに対して２個の分銅の位置が略同角度、同一方向に取り付けたものでも構わない。この場合、振動モーター１２全体が同一方向に振動する為、発生する振動は異なったものとなる。しかし、これは一例である図３に示している振動発生器の説明であり、搭載する振動発生器を特定しているものではない。
【００３３】  図４及び図５で示す、振動発生器１２により発生する振動は、直に手首の尺骨、撓骨又はくるぶし振動を伝えるものである。該振動発生器の筐体の手首に接する面は、振動を効率的に伝達する為に、凹凸を施してもよい。又、リストバンド４１ａ、ｂについては、電気部品及び電気的配線は無いので、リストバンド４１ａ、ｂを取り外しても該腕時計式電子機器の機能に影響を及ぼす事はない。
【発明の効果】
【００３４】  本発明は以上のように、設定時刻を感知する方法が振動のため、他人に知られずに振動が直接身体で感知され、使用者本人だけに設定した時刻に達したことを報知するものであり、ビジネスマン、時間単位で活躍している者にとって、約束時間に遅れる事、約束を忘れる事、等の防止に役立つものである。
【図面の簡単な説明】
【００３５】
【図１】  通信ケーブル用ジャック及び充電用ジャックの取り付け配置を示した腕時計式電子機器（付属品を除く）の斜視図
【図２】  表示切替スイッチを取り付けた側を示した腕時計式電子機器（付属品を除く）の斜視図
【図３】  腕時計式電子機器（付属品を除く）を上方向から視た図
【図４】  腕時計式電子機器（付属品を除く）を横方向から視た図
【図５】  腕時計式電子機器（付属品を除く）を装着したと仮定した場合の横方向から視た図
【図６】  充電用アダプターの全体図
【図７】  情報端末器の全体図
【図８】  腕時計式電子機器の表示部とキースイッチ操作部を表した図
【図９】  通信用ケーブル図
【符号の説明】
【００３６】１  腕時計式電子機器（付属品を除く）
２  電子機器本体
３  液晶表示部
４  キースイッチ操作部
５  内装部
６  電子機器本体側データー通信用ケーブル接続ジャック
１１  振動発生器の筐体
１２  振動発生器
１３ａ、１３ｂ  偏重心の分銅
１４  振動モーター停止スイッチ
１５  表示切替スイッチ
２１  充電用バッテリーの筐体
２２  充電用バッテリー
２３  充電用ジャック
３１  つなぎ
４１ａ、４１ｂ  リストバンド
５０  通信用ケーブル
５１、５２  プラグ
６０  情報端末器
６１  情報端末器の画面表示部
６２、６３  スクロールスイッチ
６４  情報端末器のキースイッチ操作部
６５  電源スイッチ
６６  情報端末器側データー通信用ジャック
６７、６８，６９，７０，７１，７２  機能スイッチ
８０  充電用アダプター
８１  充電用アダプター本体
８２  充電用プラグ